【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
ビデオコンテンツセグメントを送信する方法であって、
静止シーン及び動きを含むシーンを有しているビデオコンテンツセグメントに低フレームレート（ＬＦＲ）符号化モード指定及び高フレームレート（ＨＦＲ）符号化モード指定を夫々供与することと、
各ビデオコンテンツセグメントをその符号化モード指定に従って符号化し、ＨＦＲ符号化モード指定を伴うビデオコンテンツセグメントは、ＨＦＲ画像のシーケンスを有し、該ＨＦＲ画像のシーケンスは、ＨＦＲ画像の複数のサブシーケンスにグループ分けされ、各サブシーケンスは、前記ＨＦＲ画像のシーケンスの中の連続的な順序付けられたＨＦＲ画像の組を有し、前記ＨＦＲ符号化モード指定を伴うビデオコンテンツセグメントは、各サブシーケンスにおいて同じ順序を有しているＨＦＲ画像が同じＬＦＲ画像ブロックにパックされ、且つ、同じサブシーケンスのＨＦＲ画像がＬＦＲ画像の同じ象限にマッピングされるように、複数のＨＦＲ画像をＬＦＲ画像ブロックにカプセル化することによって符号化されることと、
復号器による取り出し及び復号化を可能にするよう前記符号化されたビデオコンテンツセグメントをその符号化モード指定とともに送信することと
を有する方法。
【請求項２】
ＬＦＲ符号化モード指定を有するビデオコンテンツセグメントは、少なくとも１つのＬＦＲ画像のシーケンスを生じるよう符号化される、
請求項１に記載の方法。
【請求項３】
前記符号化モード指定は、前記ビデオコンテンツセグメントから分離した符号化モード指定を生成することを含む、
請求項１に記載の方法。
【請求項４】
前記符号化モード指定は、前記ビデオコンテンツセグメント内に符号化モード指定を含めることを有する、
請求項１に記載の方法。
【請求項５】
受信されたビデオコンテンツセグメントを処理する方法であって、
夫々の受信されたビデオコンテンツセグメントについて、当該受信されたビデオコンテンツセグメントが静止シーン又は動きを含むシーンのいずれを含むかどうかを夫々示す当該受信されたビデオコンテンツセグメントについての低フレームレート（ＬＦＲ）符号化モード指定及び高フレームレート（ＨＦＲ）符号化モード指定のうちの１つを決定することと、
各ビデオコンテンツセグメントをその符号化モード指定に従って復号し、ＨＦＲ符号化モード指定を伴うビデオコンテンツセグメントは、ＨＦＲ画像のシーケンスを有し、該ＨＦＲ画像のシーケンスは、ＨＦＲ画像の複数のサブシーケンスにグループ分けされ、各サブシーケンスは、前記ＨＦＲ画像のシーケンスの中の連続的な順序付けられたＨＦＲ画像の組を有し、前記ＨＦＲ符号化モード指定を伴うビデオコンテンツセグメントは、各サブシーケンスにおいて同じ順序を有しているＨＦＲ画像が同じＬＦＲ画像ブロックにパックされ、且つ、同じサブシーケンスのＨＦＲ画像がＬＦＲ画像の同じ象限にマッピングされるように、複数のＨＦＲ画像をＬＦＲ画像ブロックから得ることによって復号されることと、
夫々の復号されたビデオコンテンツセグメントを表示デバイスへ供給することと
を有する方法。
【請求項６】
ＬＦＲ符号化モード指定を有するビデオコンテンツセグメントは、少なくとも１つのＬＦＲ画像のシーケンスを生じるよう復号される、
請求項５に記載の方法。
【請求項７】
前記符号化モード指定は、前記ビデオコンテンツセグメントから分離した符号化モード指定を受信することを含む、
請求項５に記載の方法。
【請求項８】
（１）静止シーン及び動きを含むシーンを有している受信されたビデオコンテンツセグメントについての低フレームレート（ＬＦＲ）符号化モード指定及び高フレームレート（ＨＦＲ）符号化モード指定を夫々受信し、
（２）各ビデオコンテンツセグメントをその符号化モード指定に従って符号化する
よう構成され、
ＨＦＲ符号化モード指定を伴うビデオコンテンツセグメントは、ＨＦＲ画像のシーケンスを有し、該ＨＦＲ画像のシーケンスは、ＨＦＲ画像の複数のサブシーケンスにグループ分けされ、各サブシーケンスは、前記ＨＦＲ画像のシーケンスの中の連続的な順序付けられたＨＦＲ画像の組を有し、前記ＨＦＲ符号化モード指定を伴うビデオコンテンツセグメントは、各サブシーケンスにおいて同じ順序を有しているＨＦＲ画像が同じＬＦＲ画像ブロックにパックされ、且つ、同じサブシーケンスのＨＦＲ画像がＬＦＲ画像の同じ象限にマッピングされるように、複数のＨＦＲ画像をＬＦＲ画像ブロックにカプセル化することによって符号化される、符号器を有する装置。
【請求項９】
前記符号器は、少なくとも１つのＬＦＲ画像のシーケンスを生じるよう、ＬＦＲ符号化モード指定を有するビデオコンテンツセグメントを符号化する
請求項８に記載の装置。
【請求項１０】
前記符号器は、前記ビデオコンテンツセグメントとは別個に又は前記受信されたビデオコンテンツセグメントの部分として前記符号化モード指定を受信する、
請求項８に記載の装置。
【請求項１１】
（ａ）夫々の受信された符号化されたビデオコンテンツセグメントについて、当該受信された符号化されたビデオコンテンツセグメントが静止シーン又は動きを含むシーンのいずれを含むかどうかに応じて低フレームレート（ＬＦＲ）符号化モード指定及び高フレームレート（ＨＦＲ）符号化モード指定のうちの１つを夫々定め、
（ｂ）夫々の受信された符号化されたビデオコンテンツセグメントをその符号化モード指定に従って復号する
よう構成され、
ＨＦＲ符号化モード指定を伴うビデオコンテンツセグメントは、ＨＦＲ画像のシーケンスを有し、該ＨＦＲ画像のシーケンスは、ＨＦＲ画像の複数のサブシーケンスにグループ分けされ、各サブシーケンスは、前記ＨＦＲ画像のシーケンスの中の連続的な順序付けられたＨＦＲ画像の組を有し、前記ＨＦＲ符号化モード指定を伴うビデオコンテンツセグメントは、各サブシーケンスにおいて同じ順序を有しているＨＦＲ画像が同じＬＦＲ画像ブロックにパックされ、且つ、同じサブシーケンスのＨＦＲ画像がＬＦＲ画像の同じ象限にマッピングされるように、複数のＨＦＲ画像をＬＦＲ画像ブロックから得ることによって復号される、復号器を有する装置。
【請求項１２】
前記復号器は、少なくとも１つのＬＦＲ画像のシーケンスを生じるよう、ＬＦＲ符号化モード指定を有するビデオコンテンツセグメントを復号する、
請求項１１に記載の装置。
【請求項１３】
前記復号器は、前記ビデオコンテンツセグメントから分離した符号化モード指定を受信する、
請求項１１に記載の装置。
【請求項１４】
前記復号器は、受信されたビデオコンテンツセグメント内で、組み込まれた符号化モード指定を検出することができる、
請求項１１に記載の装置。
【請求項１５】
非一時的なコンピュータ可読媒体に記憶されており、請求項１乃至４のうちいずれか一項に記載の方法のステップを実施するようプロセッサによって実行可能なプログラムコード命令を有するコンピュータプログラム。
【請求項１６】
非一時的なコンピュータ可読媒体に記憶されており、請求項５乃至７のうちいずれか一項に記載の方法のステップを実施するようプロセッサによって実行可能なプログラムコード命令を有するコンピュータプログラム。
【手続補正２】
【補正対象書類名】図面
【補正対象項目名】図２
【補正方法】変更
【補正の内容】
【図２】
2018510524.tif 000001